(57)【要約】【課題】ファンクションが異なる拡張カードであっても拡張カードの種別毎にカードスロットを別個に設定する必要がなく、一つのカードスロットで異なるファンクションを有する拡張カードを装着して使用することが可能なカードアダプタ制御装置、ＵＳＢコントローラー、カードアダプタの提供。【解決手段】ＵＳＢコントローラー１０は、装着された拡張カードのファンクション種別を検出するカード検出切替部１２を有しており、該カード検出切替部１２による検出結果に基づいて、メモリーカードリードライト制御部１４とＰＨＳカード制御部１６とを切替える。【選択図】      図３
2004185584.tif 000002
【特許請求の範囲】
【請求項１】
所定の規格の拡張カードが装着されて、所定のデータ転送方式のシステムインターフェースに基づいて各拡張カードとホスト側とのデータの受け渡しを行うカードアダプタを制御するカードアダプタ制御装置であって、
装着された拡張カードのファンクション種別を検出するカード種別検出機能を有しており、
該カード検出機能による検出結果に基づいて制御機能を切替えることにより、一つのカードスロットに複数の異なるファンクションの拡張カードの装着を可能になしたことを特徴とするカードアダプタ制御装置。
【請求項２】
前記所定のデータ転送方式のシステムインターフェースがＵＳＢ規格であることを特徴とする請求項１に記載のカードアダプタ制御装置。
【請求項３】
前記拡張カードの少なくとも一つが通信カードであることを特徴とする請求項１又は２に記載のカードアダプタ制御装置。
【請求項４】
前記通信カードがＣＦ規格のＰＨＳカードであることを特徴とする請求項３に記載のカードアダプタ制御装置。
【請求項５】
前記拡張カードの少なくとも一つがメモリーカードであることを特徴とする請求項１又は２又は３又は４に記載のカードアダプタ制御装置。
【請求項６】
前記メモリーカードがＣＦ規格のメモリーカードであることを特徴とする請求項５に記載のカードアダプタ制御装置。
【請求項７】
ＵＳＢバスによってホスト機器に接続されカードアダプタに内蔵されるＵＳＢコントローラーであって、
所定の通信カードを制御する通信カード制御機能と、
所定のメモリーカードの読み出し、書き込み、消去を制御するメモリーカード制御機能と、
通信カードとメモリーカードの何れが接続されたかを検出し、その検出結果に基づいて、通信カード制御機能とメモリーカード制御機能の何れを使用するかを切替えるカード制御機能切替え機能と
を有することを特徴とするＵＳＢコントローラー。
【請求項８】
前記通信カードが、ＣＦ規格のＰＨＳカードであることを特徴とする請求項７に記載のＵＳＢコントローラー。
【請求項９】
前記メモリーカードが、ＣＦ規格のメモリーカードであることを特徴とする請求項７又は８に記載のＵＳＢコントローラー。
【請求項１０】
前記請求項１又は２又は３又は４又は５又は６又は７又は８又は９に記載のカードアダプタ制御装置或いはＵＳＢコントローラーを搭載したことを特徴とするカードアダプタ。
【発明の詳細な説明】
【０００１】
【発明の属する技術分野】
本発明は、カードアダプタ制御装置、ＵＳＢコントローラーに係り、特にホスト機器の外部にてホスト機器の機能を拡張する拡張カードの接続、使用を可能とするカードアダプタ制御装置、ＵＳＢコントローラーに関する。
【０００２】
【従来の技術】
近年、パーソナルコンピュータやＰＤＡ、或いはデジタルカメラ等の機器が、拡張カードなどを装着するカードスロットを有していない場合などに、外部にてそれらの拡張カードを装着可能とするカードアダプタ類が広く使用されるに至っている。特に、携帯性の面から機器の大きさが制限され設定可能なカードスロットに限りがあるノート型パソコンやＰＤＡにおいては、それらの拡張カードを装着可能とするカードアダプタ類を装置の外部で使用できるため、特に有効なもととなっている。
【０００３】
【発明が解決しようとする課題】
しかし、そのようなカードアダプタにおいては、複数のファンクションが異なる拡張カードが接続できる所謂「マルチカードアダプタ」においては、拡張カードの種別毎にカードスロットを設定する必要があった。つまり、同じカードスロットサイズの規格であっても、例えば、ファンクションが異なるＣＦカード規格のメモリーカードとＣＦ（ＣＦ＋）カード規格のＰＨＳカードを同一のカードスロットに装着して使用することができなかった。これは、メモリーカードの場合とＰＨＳカードの場合では、ファンクションが異なるため必要な制御機能が異なるためである。
【０００４】
そこで、本発明は、ファンクションが異なる拡張カードであっても拡張カードの種別毎にカードスロットを別個に設定する必要がなく、一つのカードスロットで異なるファンクションを有する拡張カードを装着して使用することが可能なカードアダプタ制御装置、ＵＳＢコントローラー、カードアダプタを提供することを目的とする。
【０００５】
【課題を解決するための手段】
本発明は、前記問題点を解決するために創作されたものであって、第１には、カードアダプタ制御装置であって、所定の規格の拡張カードが装着されて、所定のデータ転送方式のシステムインターフェースに基づいて該拡張カードとホスト側とのデータの受け渡しを行うカードアダプタを制御するカードアダプタ制御装置であって、装着された拡張カードのファンクション種別を検出するカード種別検出機能を有しており、該カード検出機能による検出結果に基づいて制御機能を切替えることにより、一つのカードスロットに複数の異なるファンクションの拡張カードの装着を可能になしたことを特徴とする。
【０００６】
また、第２には、前記第１の構成のカードアダプタ制御装置において、前記所定のデータ転送方式のシステムインターフェースがＵＳＢ規格であることを特徴とする。
【０００７】
この第１又は２の構成のカードアダプタ制御装置においては、装着された拡張カードのファンクション種別を検出するカード種別検出機能を有しており、該カード検出機能による検出結果に基づいて制御機能を切替えることにより、一つのカードスロットに複数の異なるファンクション種別のカードの装着が可能になされているため、カードのファンクション種別毎に別個にカードスロットを設定する必要がなく、一つのカードスロットで異なるファンクションの拡張カードを装着して使用することが可能となる。
【０００８】
また、第３には、前記第１又は２の構成のカードアダプタ制御装置において、前記拡張カードの少なくとも一つが通信カードであることを特徴とする。また、第４には、前記第３の構成のカードアダプタ制御装置において、前記通信カードがＣＦ規格のＰＨＳカードであることを特徴とする。
【０００９】
この第３又は４の構成のカードアダプタ制御装置においては、前記拡張カードの少なくとも一つが通信カード若しくはＣＦ規格のＰＨＳカードであるため、通信カード若しくはＣＦ規格のＰＨＳカードと、その他のファンクションの異なる拡張カードとを一つのカードスロットに装着して使用することが可能になる。
【００１０】
また、第５には、前記第１又は２又は３又は４の構成のカードアダプタ制御装置において、前記拡張カードの少なくとも一つがメモリーカードであることを特徴とする。また、第６には、前記第５の構成のカードアダプタ制御装置において、前記メモリーカードがＣＦ規格のメモリーカードであることを特徴とする。
【００１１】
この第５又は６の構成のカードアダプタ制御装置においては、前記拡張カードの少なくとも一つがメモリーカード若しくはＣＦ規格のメモリーカードであるため、メモリーカード若しくはＣＦ規格のメモリーカードと、その他のファンクションの異なる拡張カードとを一つのカードスロットに装着して使用することが可能になる。
【００１２】
また、第７には、ＵＳＢコントローラーにおいて、ＵＳＢバスによってホスト機器に接続されカードアダプタに内蔵されるＵＳＢコントローラーであって、所定の通信カードを制御する通信カード制御機能と、所定のメモリーカードの読み出し、書き込み、消去を制御するメモリーカード制御機能と、通信カードとメモリーカードの何れが接続されたかを検出し、その検出結果に基づいて、通信カード制御機能とメモリーカード制御機能の何れを使用するかを切替えるカード制御機能切替え機能とを有することを特徴とする。
【００１３】
この第７の構成のＵＳＢコントローラーにおいては、通信カードとメモリーカードの何れが接続されたかを検出し、その検出結果に基づいて、通信カード制御機能とメモリーカード制御機能の何れを使用するかを切替えるカード制御機能切替え機能とを有しているため、カードのファンクション種別毎にカードスロットを設定する必要がなく、一つのカードスロットで通信カードとメモリーカードの両方を装着して使用することが可能となる。
【００１４】
また、第８には、前記第７の構成のＵＳＢコントローラーにおいて、前記通信カードが、ＣＦ規格のＰＨＳカードであることを特徴とする。
【００１５】
この第８の構成のＵＳＢコントローラーにおいては、前記通信カードがＣＦ規格のＰＨＳカードであるため、ＣＦ規格のＰＨＳカードと、その他のファンクションの異なる拡張カードとを一つのカードスロットに装着して使用することが可能になる。
【００１６】
また、第９には、前記第７又は８の構成のＵＳＢコントローラーにおいて、前記メモリーカードが、ＣＦ規格のメモリーカードであることを特徴とする。
【００１７】
この第９の構成のＵＳＢコントローラーにおいては、前記メモリーカードがＣＦ規格のメモリーカードであるため、ＣＦ規格のメモリーカードと、その他のファンクションの異なる拡張カードとを一つのカードスロットに装着して使用することが可能になる。
【００１８】
また、第１０には、カードアダプタであって、前記構成１又は２又は３又は４又は５又は６又は７又は８又は９に記載のカードアダプタ制御装置或いはＵＳＢコントローラーを搭載したことを特徴とする。
【００１９】
この第１０の構成のカードアダプタにおいては、前記構成１又は２又は３又は４又は５又は６又は７又は８又は９のカードアダプタ制御装置或いはＵＳＢコントローラーを搭載しているため、前記構成１又は２又は３又は４又は５又は６又は７又は８又は９の特徴を有するカードアダプタとすることができる。
【００２０】
【発明の実施の形態】
本発明の実施の形態としての実施例を、図面を利用して以下に説明する。本発明の実施例に基づくカードアダプタ１は、図１に示すように、樹脂部材によって一面が半円状の曲面に形成され、逆側の面は平面に形成されて略馬蹄形状を呈しており、前記平面側にはカードスロット２が形成されている。該カードスロット２は、ＣＦカード規格に準拠したスロットであり、ＣＦカード規格及びＣＦカードにＩ／Ｏ機能を持たせたＣＦ＋カード規格（ＴＹＰＥＩ、ＴＹＰＥＩＩ）に準拠した拡張カードの装着が可能になされている。
【００２１】
また、前記カードアダプタ１は、半円状の曲面部側にＵＳＢケーブル３が接続されており、該ＵＳＢケーブル３の端部にはＵＳＢコネクタ４が固着されている。そして、図１に示すように、該ＵＳＢコネクタ４をホストであるＰＣ１００のＵＳＢポートに装着することによって、前記カードアダプタ１がＰＣ１００にＵＳＢ接続される。また、前記カードアダプタ１は、図２に示すように、内部にＵＳＢコントローラー１０、ＵＳＢインターフェースコントローラー２０、及びＣＦインターフェースコントローラー３０を有している。なお、ここで、ホスト機器としてはＰＣ（パーソナルコンピュータ）に限定されるものではなく、ＰＤＡ、デジタルカメラ、携帯電話等、多様な機器が想定される。
【００２２】
前記ＵＳＢコントローラー１０は、図３に示すように、論理機能ブロックとして、カード検出切替部１２、メモリーカードリードライト制御部１４、ＰＨＳカード制御部１６、ＵＳＢコントロール部１８を有しており、前記カードアダプタ１を制御するカードアダプタ制御装置として機能する。前記カード検出切替部１２は、前記カードスロット２に装着された拡張カードのファンクションの種別を検出し、その検出結果に基づいて使用する制御部を前記メモリーカードリードライト制御部１４と前記ＰＨＳカード制御部１６とに切替える。
【００２３】
前記メモリーカードリードライト制御部１４は、ＣＦメモリーカード２００を制御する制御情報を有しており、ホストであるＰＣ１００からの指令に基づいてＣＦメモリーカード２００を制御し、適宜該ＣＦメモリーカード２００に対するデータの読み出し、書き込み、消去を実行する。また、前記ＰＨＳカード制御部１６は、ＣＦ−ＰＨＳカード３００を制御する制御情報を有しており、ホストであるＰＣ１００からの指令に基づいてＣＦ−ＰＨＳカード３００を制御し、適宜該ＣＦ−ＰＨＳカード３００に対してＰＨＳ方式による通信を行わせる。
【００２４】
前記ＵＳＢコントロール部１８は、送られたデータ及び送るデータを記憶するバッファを有しており、前記ＰＣ１００のＵＳＢホストコントローラー１１０との通信上必要な処理の多くを自動的に行うとともに、ＵＳＢホストコントローラー１１０からのリクエストに応答する。その他、エラー処理や電力管理などを行う。
【００２５】
前記ＵＳＢインターフェースコントローラー２０は、ＰＣ１００のＵＳＢホストコントローラー１１０との通信を制御し、入ってくるパケットの検出、パケットの送信、パケットＩＤの生成や解読、ＵＳＢシリアルデータとパラレルデータの変換などを行う。
【００２６】
前記ＣＦインターフェースコントローラー３０は、前記カードスロット２に装着された拡張カードであるＣＦメモリーカード２００又はＣＦ−ＰＨＳカード３００との通信を制御するとともに、ＣＦとＵＳＢとのブリッジ機能を有しており、ＣＦデータとＵＳＢデータ間の変換処理を行う。
【００２７】
次に、本実施例によるカードアダプタ１とＰＣ１００間の、ＰＣ１００のＵＳＢポートにカードアダプタ１のＵＳＢコネクタ４が装着された時のＵＳＢコンフィグレーション通信の作動を説明する。図４は、本実施例によるホスト−アダプタ間コンフィグレーション通信処理を示すフローチャートである。ステップ１０でＰＣ１００のＵＳＢポートにカードアダプタ１のＵＳＢコネクタ４が挿入されて装着されると、ステップ２０でＰＣ１００がカードアダプタ１の各ディスクリプタを取得し、アドレスのアサイン、コンフィグレーション、パイプの初期化などが行われて、エニュメレーション処理される。
【００２８】
それにより、ステップ３０で、前記ＰＣ１００は、前記カードアダプタ１のデバイスディスクリプタに記述されたベンダＩＤ、製品ＩＤ、またはＣｌａｓｓ，Ｓｕｂｃｌａｓｓから、マスストレージクラスとコミュニケーションクラスの二つのファンクションからなるコンボジットクラスのＵＳＢクラスデバイスとしてカードアダプタ１を認識する。これにより、前記ＰＣ１００と前記カードアダプタ１とのＵＳＢパケット通信が可能となる。
【００２９】
次に、そのようにＰＣ１００に接続されてコンフィギュレーション処理されたカードアダプタ１のカードスロット２に、拡張カードが装着された時のカード検出切替の作動を説明する。図５は、本実施例によるカードアダプタ１のカード検出切替処理を示すフローチャートである。ステップ１００で前記カードスロット２に拡張カードが挿入されて装着されると、ステップ１１０で前記カード検出切替部１２が拡張カードのＣＩＳ情報を入手し、ステップ１２０で該ＣＩＳ情報に基づいて拡張カードの種別を検出する。
【００３０】
そして、ステップ１３０で、検出した拡張カードの種別がＣＦメモリーカード２００であるかどうかが判断され、ＣＦメモリーカード２００であればステップ１４０で前記カードリードライト制御部１４によるデバイス制御に切替える。そのため、ステップ１５０でＣＦメモリーカード２００への読み出し、書き込み、或いは消去の実行が可能となる。
【００３１】
また、ステップ１３０で、検出した拡張カードの種別がＣＦメモリーカード２００でないと判断された場合には、ステップ１６０で検出した拡張カードの種別がＣＦ−ＰＨＳカード３００であるかどうかが判断される。ＣＦ−ＰＨＳカード３００であればステップ１７０で前記ＰＨＳ制御部１６によるデバイス制御に切替える。そのため、ステップ１８０でＣＦ−ＰＨＳカード３００による通信の実行が可能となる。なお、ステップ１６０で検出した拡張カードの種別がＣＦ−ＰＨＳカード３００でない場合には、前記カードスロット２に装着された拡張カードが、ＣＦメモリーカード２００でもＣＦ−ＰＨＳカード３００でもないと判断できるため、エラー処理される。
【００３２】
以上のように本実施例によるカードアダプタ１のカード検出切替処理により、前記カードスロット２に装着された拡張カードのファンクション種別を自動的に判別することができるため、ＣＦメモリーカード２００用とＣＦ−ＰＨＳカード３００用とでカードスロットを別個に設定する必要がなく、一つのカードスロット２でＣＦメモリーカード２００用とＣＦ−ＰＨＳカード３００とを差し替えて装着して使用することが可能になる。従って、カードアダプタ１の構成を簡略化することができ、小型で安価な構成とすることができる。また、複数のカードスロットを搭載してマルチカードアダプタとした場合には、ＵＳＢハブコントローラーによってハブ接続する必要があるが、本実施例によるカードアダプタ１ではハブ接続でないため、ＵＳＢハブコントローラーも不要とすることができる。
【００３３】
次に、本実施例によるカードアダプタ１のカードスロット２にＣＦメモリーカード２００が装着されている場合のメモリーカード処理について説明する。図６は、本実施例によるメモリーカード処理を示すフローチャートである。ステップ２００でＰＣ１００からのリードライト等の処理命令があると、ステップ２１０でＰＣ１００とカードアダプタ１との間でマスストレージクラスの仕様に基づいて通信が行われる。
【００３４】
それにより、ステップ２２０で、前記メモリーカードリードライト制御部１４がＣＦメモリーカード２００を制御して、ＣＦメモリーカード２００への読み出し、書き込み、消去を実行し、そのデータはＰＣ１００とカードアダプタ１との間でパケット通信によって送受され、またカードアダプタ１とＣＦメモリーカード２００との間でＣＦインターフェースに基づいて送受される。従って、この場合には、前記カードアダプタ１は、一般的なＵＳＢカードリーダーライターと全く同様に作動することになる。
【００３５】
次に、本実施例によるカードアダプタ１のカードスロット２にＣＦ−ＰＨＳカード３００が装着されている場合の通信カード処理について説明する。図７は、本実施例による通信カード処理を示すフローチャートである。ステップ３００でＰＣ１００からの通信処理命令があると、ステップ３１０で通信命令が送信命令かどうかが判断される。
【００３６】
そして、通信命令が送信命令であれば、ステップ３２０でコミュニケーションクラスの仕様に基づいてＰＣ１００から送信データがパケット通信によってカードアダプタ１に送られ、さらにＣＦインターフェースに基づいてＣＦ−ＰＨＳカード３００に送られる。そして、ステップ３３０でＣＦ−ＰＨＳカード３００によって送信データのＰＨＳ送信が実行される。続いて、ステップ３４０で、ＰＣ１００からの命令待ちとなる。
【００３７】
また、ステップ３１０で通信命令が送信命令でない場合には、ステップ３５０で通信命令が受信命令かどうかが判断され、通信命令が受信命令であれば、ステップ３６０でＣＦ−ＰＨＳカード３００によって受信データのＰＨＳ受信が実行される。そして、ステップ３７０で、受信データがＣＦインターフェースに基づいてＣＦ−ＰＨＳカード３００からカードアダプタ１に送られ、さらにコミュニケーションクラスの仕様に基づいてカードアダプタ１から受信データがパケット通信によってＰＣ１００に送られる。続いて、ステップ３４０で、ＰＣ１００からの命令待ちとなる。従って、以上の処理により、前記カードアダプタ１は、一般的な通信カードアダプタと全く同様に作動することになる。
【００３８】
以上述べたように、本発明に基づく上記実施例によれば、カード検出切替部１２が装着された拡張カードのファンクション種別を検出するカード種別検出機能を有しているため、該カード検出機能による検出結果に基づいて制御機能を切替えることにより、ＣＦメモリーカード２００用とＣＦ−ＰＨＳカード３００とで別個にカードスロットを設定する必要がなく、一つのカードスロット２でＣＦメモリーカード２００とＣＦ−ＰＨＳカード３００とを何れも装着して使用することが可能となる。
【００３９】
なお、本発明は、本実施例の構成のみに限定されるものではなく、多様な態様が可能である。例えば、前記実施例では、カードスロット２にＣＦメモリーカード２００とＣＦ−ＰＨＳカード３００とを装着可能な構成としているが、それのみに限定されるものではなく、ＧＰＳカード、無線ＬＡＮカード、カメラカードなどどのような拡張カードの組み合わせでもよく、またさらに多くの枚数の拡張カードを装着できるようにすることも可能である。
【００４０】
また、本実施例においては、ホスト側とのデータの受け渡しを行う所定のデータ転送方式のシステムインターフェースをＵＳＢ規格としているが、それのみに限定されるものではなくＩＥＥＥ１３９４など、機能的に十分なデータの受け渡し能力があればどのような規格であってもよい。また、本実施例においては、拡張カードの規格としてＣＦ規格としているが、それのみに限定されるものではなく、ＰＣＭＣＩＡ規格やＳＤＩＯ規格、或いはそれに準じた規格、さらには今後開発されるカード規格など、どのような規格であってもよい。
【００４１】
【発明の効果】
本発明に基づく請求項１又は２に記載のカードアダプタ制御装置によれば、装着された拡張カードのファンクション種別を検出するカード種別検出機能を有しており、該カード検出機能による検出結果に基づいて制御機能を切替えることにより、一つのカードスロットに複数の異なるファンクション種別のカードの装着が可能になされているため、カードのファンクション種別毎に別個にカードスロットを設定する必要がなく、一つのカードスロットで異なるファンクションの拡張カードを装着して使用することが可能となる。
【００４２】
また、特に、請求項３又は４に記載のカードアダプタ制御装置によれば、前記拡張カードの少なくとも一つが通信カード若しくはＣＦ規格のＰＨＳカードであるため、通信カード若しくはＣＦ規格のＰＨＳカードと、その他のファンクションの異なる拡張カードとを一つのカードスロットに装着して使用することが可能になる。
【００４３】
また、特に、請求項５又は６に記載のカードアダプタ制御装置によれば、前記拡張カードの少なくとも一つがメモリーカード若しくはＣＦ規格のメモリーカードであるため、メモリーカード若しくはＣＦ規格のメモリーカードと、その他のファンクションの異なる拡張カードとを一つのカードスロットに装着して使用することが可能になる。
【００４４】
また、特に、請求項７に記載のＵＳＢコントローラーによれば、通信カードとメモリーカードの何れが接続されたかを検出し、その検出結果に基づいて、通信カード制御機能とメモリーカード制御機能の何れを使用するかを切替えるカード制御機能切替え機能とを有しているため、カードのファンクション種別毎にカードスロットを設定する必要がなく、一つのカードスロットで通信カードとメモリーカードの両方を装着して使用することが可能となる。
【００４５】
また、特に、請求項８に記載のＵＳＢコントローラーによれば、前記通信カードがＣＦ規格のＰＨＳカードであるため、ＣＦ規格のＰＨＳカードと、その他のファンクションの異なる拡張カードとを一つのカードスロットに装着して使用することが可能になる。
【００４６】
また、特に、請求項９に記載のＵＳＢコントローラーによれば、前記メモリーカードがＣＦ規格のメモリーカードであるため、ＣＦ規格のメモリーカードと、その他のファンクションの異なる拡張カードとを一つのカードスロットに装着して使用することが可能になる。
【００４７】
また、特に、請求項１０に記載のカードアダプタによれば、前記請求項１又は２又は３又は４又は５又は６又は７又は８又は９のカードアダプタ制御装置或いはＵＳＢコントローラーを搭載しているため、前記構成１又は２又は３又は４又は５又は６又は７又は８又は９の特徴を有するカードアダプタとすることができる。
【図面の簡単な説明】
【図１】本発明の実施例に基づくカードアダプタの使用状態を示す説明図である。
【図２】本実施例のカードアダプタの構成を示す構成図である。
【図３】本実施例のＵＳＢコントローラーの論理機能ブロックを示すブロック図である。
【図４】本実施例のホスト−アダプタ間コンフィグレーション通信処理を示すフローチャートである。
【図５】本実施例のカードアダプタのカード検出切替処理を示すフローチャートである。
【図６】本実施例のメモリーカード処理を示すフローチャートである。
【図７】本実施例の通信カード処理を示すフローチャートである。
【符号の説明】
１  カードアダプタ
２  カードスロット
１０  ＵＳＢコントローラー
１００  ＰＣ
２００  ＣＦメモリーカード
３００  ＣＦ−ＰＨＳカード
【図１】
2004185584.tif 000003
【図２】
2004185584.tif 000004
【図３】
2004185584.tif 000005
【図４】
2004185584.tif 000006
【図５】
2004185584.tif 000007
【図６】
2004185584.tif 000008
【図７】
2004185584.tif 000009